(57)【要約】      （修正有）【課題】焼結ベアリング使用し、振動及び騒音を改善したヘアドライヤー用ＢＬＤＣモータを提供する。【解決手段】送風ファン１０を駆動する外転型のＢＬＤＣモータにおいて、回転シャフト２２を支持する焼結ベアリング６０と、ベアリング支持部７０の下部に設けられ、前記シャフト２２の基準位置を制御するための下部ベアリングキャップ７１及びスラストワッシャ７３と、ベアリング支持部７０の上部に設けられ、前記焼結ベアリング６０のオイルが外部に漏れることを防止すると共に、前記焼結ベアリング６０が外部に離脱することを防止するための上部ベアリングキャップ７２と、送風ファン１０を上部に接続したローターハウジング２０の上面に、ステータコア４０から発生する熱を放熱するための放熱孔を形成した。【選択図】図４
2013226035.tif 000002
【特許請求の範囲】
【請求項１】
内部に永久磁石２３が形成され、中央にシャフト２２が挿入される軸孔２１が形成され、上部に風を発生するため送風ファン１０が結合されるローターハウジング２０と、
前記シャフト２２の上端に内周側が一体に結合され、外周側が前記ローターハウジング２０と結合されるローターフレーム３０と、
前記永久磁石２３により形成された磁界との相互作用によって回転力を発生するコイル４１が巻き取られているステータコア４０と、
前記ステータコア４０の下部に結合されるＰＣＢ基板５０と、
下部に結合されて前記ステータコア４０を支持する、内部の中心にシャフト２２支持用のベアリング６０を支持するベアリング支持部７０’が設けられたベースブラケット７０と、を備えたヘアドライヤー用ブラシレス直流モータ（以降、ＢＬＤＣモータと呼ぶ）において、
前記ベアリング６０が、焼結ベアリングで形成され、
前記ベアリング支持部７０’の下部に、前記シャフト２２の基準位置を制御するための下部ベアリングキャップ７１及びスラストワッシャ７３が設けられ、
前記ベアリング支持部７０’の上部に、前記ベアリング６０のオイルが外部に漏れることを防止すると共に、前記ベアリング６０が外部に離脱することを防止するための上部ベアリングキャップ７２が設けられ、
前記ローターハウジング２０の上面に、前記ステータコア４０から発生する熱を放熱するための放熱孔２０ａが形成されている
ことを特徴とする焼結ベアリングが装着されたヘアドライヤー用ＢＬＤＣモータ。
【請求項２】
前記送風ファン１０は、ターボファン又はシロッコファンとされることを特徴とする請求項１に記載の焼結ベアリングが装着されたヘアドライヤー用ＢＬＤＣモータ。
【請求項３】
前記ベアリング支持部７０’に、前記ベアリング６０を取り付けるための取付溝７４が形成され、前記取付溝７４の内壁面に、前記ベアリング６０との摩擦力を減少し磨耗の発生を防止するためのテフロン（登録商標）コーティング層７５が形成されていることを特徴とする請求項１または２に記載の焼結ベアリングが装着されたヘアドライヤー用ＢＬＤＣモータ。
【請求項４】
前記ベアリング６０の内周面には、オイルの流通が円滑に行われるようにするオイル案内溝６１がらせん状に形成されることを特徴とする請求項１〜３の何れか１つに記載の焼結ベアリングが装着されたヘアドライヤー用ＢＬＤＣモータ。
【請求項５】
前記送風ファン１０の底面には、回転不均衡バランスを調節できるように枠に沿って多数のバランス突起１１が設けられ、前記バランス突起１１の両側に、該バランス突起１１を容易に除去できるように突起除去溝１２が形成されていることを特徴とする請求項１〜４の何れか１つに記載の焼結ベアリングが装着されたヘアドライヤー用ＢＬＤＣモータ。
【請求項６】
前記送風ファン１０の底面に、回転不均衡バランスを調節できるように枠に沿って多数のバランス突起１１が着脱自在に設けられ、
前記送風ファン１０に、着脱のための案内レール１３が設けられ、
前記バランス突起１１の上部に、前記案内レール１３に挿入される着脱部１４が設けられ、
前記バランス突起１１に、多数の切開溝１５が一定間隔で垂直方向に形成されている
ことを特徴とする請求項１〜４の何れか１つに記載の焼結ベアリングが装着されたヘアドライヤー用ＢＬＤＣモータ。
【発明の詳細な説明】
【技術分野】
【０００１】
本発明はヘアドライヤー用ＢＬＤＣモータに関するものであり、更に詳しくは、モータの駆動軸を支持するための従来のボールベアリング構造に代わって焼結ベアリングを装着し、部品間の摩擦抵抗を減少させるためのオイルの注油が行われるようにすることでモータを駆動する際部品の磨耗及び損傷の発生を防止するためのものである。
【背景技術】
【０００２】
一般に、ヘアドライヤー（Ｈａｉｒ  Ｄｒｙｅｒ）は水分を乾燥する電気装置であり、その内部に設置された発熱体で空気を加熱してそれをファンモータで強制送風することで人の髪を乾かすかその他の濡れたものを容易に乾かすことができるため、家庭及び事業所などで広く使用されている。
【０００３】
そして、そのようなヘアドライヤーにはＢＬＤＣ（Ｂｒｕｓｈ  Ｌｅｓｓ  Ｄｉｒｅｃｔ  Ｃｕｒｒｅｎｔ）モータが装着されているが、このようなＢＬＤＣモータはＤＣモータからブラシを除去したモータであり、半導体素子で電流を制御することでブラシを使用する必要がないため寿命が半永久的であり、トルクが高いため高速回転ができ、モータドライブ回路から電流制御が容易であるためモータの速度調節を用意に行うことができるという利点を有する。
【０００４】
一方、このようなＢＬＤＣモータの従来の一例として、本出願人が先出願して韓国内で登録されている特許文献１（発明の名称：ヘアドライヤー用ＢＬＤＣモータの回転ファン結合装置）がある。
【０００５】
即ち、上述した従来のＢＬＤＣモータは、モータの回転ファン部で複数の回転羽を有するファン本体と、前記ファン本体の内側面に挿入結合されるローターハウジング及び前記ファン本体とローターハウジングに結合されると共に回転軸に結合されるローターフレームと、前記ファン本体とローターフレームを連結固定するファン固定ばねで構成することで、前記ＢＬＤＣモータのモータ部に回転ファン部の結合が間接的に行われることによって回転ファン部の結合及び分離作業がより容易に行われ得る特徴と有するものである。
【０００６】
一方、従来技術ではモータ回転軸の回転を支持するためにボールベアリングが接地されていたが、このようなボールベアリングタイプは回転軸の誤差範囲が大きいためモータの高速駆動の際振動及び騒音が発生し、またボールベアリングが容易に磨耗されるか破損されて製品の使用効率を低減されるという問題点があった。
【先行技術文献】
【特許文献】
【０００７】
【特許文献１】韓国特許登録第０９３５１５８号
【発明の概要】
【発明が解決しようとする課題】
【０００８】
本発明は上述した従来技術における問題点を改善するために提案されたものであり、従来のボールベアリングに代わって焼結方式に成型製作が行われた高強度の焼結ベアリングを設置すると共に潤滑オイルの漏れを防止し得る構造を提供することで、モータの耐久性の向上及びモータの動作過程における騒音、振動の発生を最小化することにその目的がある。
【課題を解決するための手段】
【０００９】
上述した目的を達成するための本発明のＢＬＤＣモータ構造体は、内側に永久磁石が具備されており、中央にはシャフトが挿入される軸孔が形成され、上部には風を発生するための送風ファンが結合されるローターハウジングと、前記シャフトの上端に内周側が一体に結合されており、外周側は前記ローターハウジングと結合されるローターフレームと、前記永久磁石から形成された磁界との相互作用によって回転力を発生するコイルが巻き取られているステータコアと、前記ステータコアの下部に結合構成されるＰＣＢ基板と、前記ステータコアを支持するために下部に結合構成されるベースブラケットと、前記ベースブラケットの中心には内部にシャフト支持用のベアリングが具備されたベアリング支持部と、を含む構成を成すヘアドライヤー用ＢＬＤＣモータにおいて、前記ベアリングは焼結ベアリングで形成され、前記ベアリングハウジングの下部にはシャフトの基準位置を制御するための下部ベアリングキャップ及びスラストワッシャが構成され、前記ベアリングハウジングの上部にはベアリングのオイルが外部に漏れることを防止すると共にベアリングの外部への離脱を防止するための上部ベアリングキャップが構成され、前記ローターハウジングの上面にはステータコアから発生する熱を排出するための放熱孔が形成されることを特徴とする。
【発明の効果】
【００１０】
このような本発明のヘアドライヤー用ＢＬＤＣモータは、シャフトの回動を案内するベアリングを従来のボールベアリングに代わって焼結ベアリングで構成することで、回転の際形成される流体動圧によって回転軸を捕まえることで振動及び騒音の改善効果を示すことができる。
【００１１】
特に、オイルが外部に漏れることを効果的に防止し得る部品構造を形成することで、オイルの損失による悪影響を防止することができる。
【００１２】
また、送風ファンのバランス補正作業が容易に行われるようになり、回転の際発生し得る騒音及び振動を最小化することができる利点がある。
【図面の簡単な説明】
【００１３】
【図１】本発明のヘアドライヤー用ＢＬＤＣモータの分解斜視図である。
【図２】本発明のＢＬＤＣモータの分解状態の切開斜視図である。
【図３】本発明のＢＬＤＣモータの分解状態の側面図である。
【図４】本発明のＢＬＤＣモータの結合状態の断面図である。
【図５】図４のＡ部の拡大図である。
【図６】本発明における焼結ベアリング部品の断面詳細図である。
【図７】本発明における送風ファン部品の底面斜視図である。
【図８】本発明における送風ファンのバランス突起を除去した状態図である。
【図９】図７のＢ部側における本発明の送風ファンのバランス突起の拡大図である。
【図１０】本発明におけるバランス突起を応用例による構造図である。
【図１１】本発明におけるバランス突起を応用例による構造図である。
【図１２】本発明の他の実施例によるシロッコファンタイプのモータの分解斜視図である。
【発明を実施するための形態】
【００１４】
以下、本発明の具体的な実施例を添付した図面を参照して詳細に説明する。
【００１５】
まず、本発明の一実施例によるヘアドライヤー用ＢＬＤＣモータの全体的な構造を図１乃至図６を介して説明すると、ローターハウジング２０は内側に円筒状の永久磁石２３が挿入具備されており、中央には回動駆動軸を形成するシャフト２２が挿入される軸孔２１が形成され、上部には空気の強制送風のためのターボファンタイプの送風ファン１０が結合される。
【００１６】
そして、シャフト２２の上部にはローターハウジング２０と連結するためのローターフレーム３０が結合され、ローターハウジング２０の内部には永久磁石２３から形成された磁界との相互作用によって回転力を発生するコイル４１が巻き取られているステータコア４０が構成され、ステータコア４０の下部にはモータの駆動に必要な回路が印刷されたＰＣＢ基板５０が結合され、ステータコア４０を支持するために下部にはベースブラケット７０が結合構成され、ベースグラケット７０の中央には内部にシャフト２２支持用のベアリング６０を支持するベアリング支持部７０’が具備される。
【００１７】
特に発明ではベアリング６０を耐久性を強化するために焼結方式で製作された焼結ベアリングで具備し、ベアリング支持部７０’の下部にはシャフト２２の基準位置を制御するための下部ベアリングキャップ７１及びスラストワッシャ７０が構成され、ベアリング支持部７０’の上部にはベアリング６０のオイルが外部に漏れることを防止すると共にベアリング６０の外部への離脱を防止するための上部ベアリングキャップ７２が構成され、ローターハウジング２０の上面にはステータコア４０で発生される熱を排出するための放熱孔２０ａが形成されている。
【００１８】
また、ベアリング支持部７０’にはベアリング６０を取り付けるための取付溝７４が形成されており、前記取付溝７４の内壁面には図５のようにベアリング６０との摩擦力を減少し磨耗の発生を防止するためのテフロン（登録商標）コーティング層７５が形成されることが好ましい。
【００１９】
また、ベアリング６０の内周面には図６に示したようにオイルの流通が円滑に行われるようにするオイル案内溝６１がらせん状に形成されることが好ましい。
【００２０】
一方、送風ファン１０の底面には図７のように回転不均衡バランスを調節し得るように枠に沿って多数のバランス突起１１が具備されるが、前記バランス突起１１には容易に除去し得るように突起除去溝１２が図９のように両側に形成される。
【００２１】
図面のうち説明されていない符号３１は送風ファン１０の離脱を防止するために締結される上部ワッシャであり、４２と４３はそれぞれ上部と下部に設置される絶縁子であり、５１はＰＣＢ基板５０とコイル４１の間のノイズを防ぐためのＰＣＢパッドをそれぞれ示す。
【００２２】
以下、このような構成を成す本発明のＢＬＤＣモータの動作による作用効果を説明する。
【００２３】
まず、ＰＣＢ基板５０に実装された駆動回路によってステータコア４０に巻き取られたコイル４１に電流が供給され、生成された磁束が外側の永久磁石２３に伝達されることでローターハウジング２０とローターフレーム３０及びシャフト２２が回転し、この際、ＰＣＢ基板５０に設置された磁極検出素子によって検出された永久磁石２３の磁極に対する信号がＰＣＢ基板５０の駆動回路に伝達され、コイル４１が異なる磁性を有するようにコイルに極性を異にする電源を供給してローター構造物の継続的な回転を可能にし、よって送風ファン１０の高速回転によるヘアドライヤーの強制送風機能が行われる。
【００２４】
このようなモータの動作過程において、ステータコア４０はＰＣＢ基板５０とベースブラケット７０のベアリング支持部７０’によって安定的な固定支持状態が保持され、円滑なローター構造物の回転動作が行われるようになる。
【００２５】
特に、ベアリング支持部７０’内でシャフト２２の回動を支持するベアリング６０は焼結製作されたものであり、シャフト２２の高速回動を安定的に支持すると共に従来のボールベアリングが構造的に有していた回転軸の誤差範囲を最小化し、振動及び騒音の改善効果を示すことができる。
【００２６】
また、潤滑性を改善するために注入されたオイルがベアリング６０の内周面に形成されたオイル案内溝６１を介して円滑に供給されるようになり、上部・下部ベアリングキャップ７１，７２とスラストワッシャ７３構造物によってベアリングオイルが外部に漏れることが防止されると共に、シャフトの安定的な支持が行われてシャフト２２の駆動効率を向上させることができる。
【００２７】
そして、取付溝７４の内壁面には図５のようにベアリング６０との摩擦力を減少し磨耗の発生を防止するためのテフロン（登録商標）コーティング層７５が形成されているため、ベアリング６０の磨耗及び損傷の発生を改善することができる。
【００２８】
一方、送風ファン１０が回転不均衡を成す場合には容易にバランスを取らせることができる。
【００２９】
即ち、本発明における送風ファン１０の底面には回転不均衡バランスを調節し得るように枠に沿って多数のバランス突起１１が具備されているため、ファンバランスを設備を利用して測定した後、重量が重い方のバランス突起１１を除去して中心軸で同じ重量になるようにバランス補正作業を実施することで、回転の際発生し得る騒音及び振動を最小化することができる。
【００３０】
特に、バランス突起１１に突起除去溝１２が図９のように形成されている状態では、力を加えることでバランス突起１１の除去作業をより迅速で容易に行うことができる。
【００３１】
一方、図１０及び図１１は更に応用されたバランス突起１１着脱型構造を示したものであり、送風ファン１０には着脱のための案内レール１３が構成され、バランス突起１１の上部には前記案内レール１３に挿入される着脱部１４が構成され、前記バランス突起１１には多数の切開溝１５が一定間隔で垂直方向に形成されている。
【００３２】
このような構造を成すと、バランス補正作業の際必要に応じてバランス突起１１を除去するか結合させることができるるためより効果的なバランス調節を行うことができるようになり、特に部分的な除去を可能にする切開溝１５構造を介して一つのバランス突起１１でも部分除去が可能になるため、より精密なバランス補正を行うことができる。
【００３３】
そして、上記で本発明の特定な実施例が説明及び図示されたが、本発明のＢＬＤＣモータの組立部品の形状が当業者によって多様に変形されて実施され得るということは自明である。
【００３４】
例えば、送風ファン１０は前記一実施例で示したターボファンの形ではなく図１２のようにシロッコファンの形で適用されてもよい。
【００３５】
よって、このような変更された実施例は本発明の技術的思想や範囲から個別的に理解されてはならず、このような変形された実施例は本発明の添付した特許請求の範囲内に含まれると理解するべきである。
【図１】
2013226035.tif 000003
【図２】
2013226035.tif 000004
【図３】
2013226035.tif 000005
【図４】
2013226035.tif 000006
【図５】
2013226035.tif 000007
【図６】
2013226035.tif 000008
【図７】
2013226035.tif 000009
【図８】
2013226035.tif 000010
【図９】
2013226035.tif 000011
【図１０】
2013226035.tif 000012
【図１１】
2013226035.tif 000013
【図１２】
2013226035.tif 000014